Podtech/llm-jp-corpus-v4-ja_patent huggingface dataset:
【手続補正書】
【提出日】平成18年11月7日(2006.11.7)
【手続補正１】
【補正対象書類名】明細書
【補正対象項目名】特許請求の範囲
【補正方法】変更
【補正の内容】
【特許請求の範囲】
【請求項１】  一台の質問機と複数のトランスポンダとを備える電子身元確認システムであって、
前記質問機は、
前記トランスポンダに質問信号を送信するための送信手段を備え、
各トランスポンダは、
前記トランスポンダの特性を含む一意の署名を発生するための署名発生手段と、
前記質問信号に応えて、前記署名を含む応答信号を間欠的に送信するための送信手段とを備え、
前記質問機が、さらに、前記トランスポンダの中の一台から応答信号を受信した場合に、前記質問機の送信手段により送信される受信通知信号であって、一台のトランスポンダの前記一意の署名を含む受信通知信号を発生するための受信通知信号発生手段を備える電子身元確認システム。
【請求項２】  請求項１に記載のシステムにおいて、前記トランスポンダの送信手段が前記応答信号で前記質問信号を後方散乱変調するための変調手段を備えるシステム。
【請求項３】  請求項１または請求項２に記載のシステムにおいて、各トランスポンダが、前記間欠的な各応答信号の送信直後に、タイム・ウィンドウを発生するためのタイム・ウィンドウ発生手段と、前記タイム・ウィンドウ中に、前記各署名を含む受信通知信号を受信した場合に、トランスポンダを通常のモードから他のモードに切り換えるためのコントローラとを備えるシステム。
【請求項４】  請求項３に記載のシステムにおいて、前記署名発生手段が、乱数発生器を備えるシステム。
【請求項５】  請求項４に記載のシステムにおいて、前記質問信号の最初の受信の後であって、前記応答信号の中の最初が応答信号が送信される前に、遅延時間またはホールドオフ時間を決定するために動作することができるシステム。
【請求項６】  請求項４または請求項５に記載のシステムにおいて、前記乱数発生器が、前記間欠的な応答信号に対するランダムな反復周期を決定するために動作することができるシステム。
【請求項７】  請求項４−請求項６の何れか１項に記載のシステムにおいて、前記乱数発生器が、前記トランスポンダに対してランダムに選択したクロック周波数を発生するために、前記トランスポンダのプログラム可能なクロック周波数ディバイダに対する除数を時々発生するために動作するシステム。
【請求項８】  前記請求項の何れか１項に記載のシステムにおいて、前記受信通知信号が、前記トランスポンダを通常の動作モードから他の複数のモードの中の選択した一つのモードに切り換えるためのコマンドを含むシステム。
【請求項９】  複数のトランスポンダを備える電子身元確認システムと一緒に使用するための質問機であって、
複数のトランスポンダへ質問信号を送信するための送信手段と、
そこからの各トランスポンダの特性を含む署名を含む応答信号であって、複数のトランスポンダからの応答信号を受信するための受信手段と、
受信した前記応答信号の中の少なくとも一つを処理し、また署名を含む受信通知信号を送信させるためのコントローラとを備える質問機。
【請求項１０】  質問信号を受信するための受信手段と、
前記トランスポンダの特性を含む署名を発生するための署名発生手段と、
前記質問信号に応えて、前記トランスポンダの特性を持つ前記署名を含む応答信号を送信するための送信手段と、
署名を含む受信通知信号を受信した場合に、トランスポンダを、ある動作モードから他の動作モードに切り換えることができるコントローラとを備えるトランスポンダ。
【請求項１１】  請求項１０に記載のトランスポンダにおいて、前記署名発生手段が、乱数発生器を備え、前記署名が一つの数字であるトランスポンダ。
【請求項１２】  請求項１０または請求項１１に記載のトランスポンダにおいて、前記トランスポンダが、前記応答信号の送信直後にタイム・ウィンドウを発生するためのタイム・ウィンドウ発生手段を備え、前記タイム・ウィンドウにおいて、前記トランスポンダが、前記受信通知信号を感知でき、応答することができるトランスポンダ。
【請求項１３】  請求項１１および請求項１２に記載のトランスポンダにおいて、前記数字発生器が、前記質問信号の最初の受信後であって、前記応答信号が送信される前に、ランダムな遅延時間またはホールドオフ時間を決定するために動作するトランスポンダ。
【請求項１４】  請求項１１−請求項１３の何れか１項に記載のトランスポンダにおいて、前記乱数発生器が、前記応答信号のランダムな反復周期を決定するために動作するトランスポンダ。
【請求項１５】  請求項１１−請求項１４の何れか１項に記載のトランスポンダにおいて、前記乱数発生器が、前記トランスポンダに対して、ランダムに選択したクロック周波数を時々発生するために、前記トランスポンダのクロック周波数を決定するために動作するトランスポンダ。
【請求項１６】  請求項１５に記載のトランスポンダにおいて、前記乱数発生器が、前記トランスポンダのプログラム可能なクロック周波数ディバイダに対する除数を発生するために、時々動作するトランスポンダ。
【請求項１７】  一台の質問機と、複数のトランスポンダを備える電子身元確認システムの動作方法であって、
前記質問機から前記トランスポンダに質問信号を送信するステップと、
前記トランスポンダに前記質問信号を受信させ、各トランスポンダに、トランスポンダの特性を含む各応答信号で、間欠的に応答させるステップと、
前記質問機に、前記応答信号を受信させ、トランスポンダの中の少なくとも一つからの応答信号を処理させるステップと、
前記質問機に、前記トランスポンダの中の少なくとも一台の署名を含む受信通知信号を送信させるステップと、
受前記信通知信号を受信した場合、前記トランスポンダの中の少なくとも一台に、ある動作モードから他の動作モードに切り替えさせるステップとを含む方法。
【手続補正書】
【提出日】平成18年2月9日(2006.2.9)
【手続補正１】
【補正対象書類名】明細書
【補正対象項目名】特許請求の範囲
【補正方法】変更
【補正の内容】
【特許請求の範囲】
【請求項１】  有機ニッケル化合物及び有機テルル化合物から選ばれる１種以上の化合物を配合してなるグリースにより潤滑を行うことを特徴とするボールねじ。
【請求項２】  有機ニッケル化合物及び有機テルル化合物の添加量がグリース全量の０．５〜５重量％であることを特徴とする請求項１記載のボールねじ。
【請求項３】  有機ニッケル化合物及び有機テルル化合物がジチオカルバミン酸系であることを特徴とする請求項１または２記載のボールねじ。
【手続補正２】
【補正対象書類名】明細書
【補正対象項目名】００１６
【補正方法】変更
【補正の内容】
【００１６】
また、有機ニッケル化合物及び有機テルル化合物は有機モリブデン化合物と併用してもよい。有機モリブデン化合物としては、下記一般式（IV） で表されるジアルキルジチオカルバミン酸モリブデンまたは一般式（Ｖ）で表されるジチオリン酸モリブデンが好ましい。
【手続補正書】
【提出日】平成18年11月10日(2006.11.10)
【手続補正１】
【補正対象書類名】特許請求の範囲
【補正対象項目名】請求項３
【補正方法】変更
【補正の内容】
【請求項３】
前記第１の電極のうち前記容量絶縁膜と接する面と、前記第１の電極における下面との成す角が鋭角であって、
前記第２の電極のうち前記容量絶縁膜と接する面と、前記第２の電極における下面との成す角が鋭角であることを特徴とする請求項１または２に記載の半導体装置。
【手続補正２】
【補正対象書類名】明細書
【補正対象項目名】００１０
【補正方法】変更
【補正の内容】
【００１０】
本発明の半導体装置において、第１の電極のうち容量絶縁膜と接する面と、第１の電極における下面との成す角が鋭角であって、第２の電極のうち容量絶縁膜と接する面と、第２の電極における下面との成す角が鋭角であることが好ましい。このようにすると、第１の電極の側面部と第２の電極の側面部との間に容量絶縁膜を形成することが容易となる。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】
携帯型コンピュータ用のドッキング・ステーションであって、
携帯型コンピュータをドッキングするように構成されたエンクロージャと、
前記エンクロージャを表面に対して保持し、前記携帯型コンピュータをドッキングし取り外すときに、前記表面に対して前記エンクロージャが動くのを防ぐ滑り防止機構と、
を備えて成るドッキング・ステーション。
【請求項２】
前記滑り防止機構が、少なくとも１つの吸盤を有していることを特徴とする、請求項１に記載のドッキング・ステーション。
【請求項３】
前記滑り防止機構が、カップ部分とスタブ部分を有する少なくとも１つの吸盤を備え、
前記スタブ部分は前記エンクロージャ内に取り付けられ、
前記カップ部分は、前記エンクロージャの開口部を通って延びて前記表面と接触することを特徴とする、請求項１に記載のドッキング・ステーション。
【請求項４】
前記滑り防止機構が、解除位置と作動位置との間で動くことができる少なくとも１つの機械的に作動する吸盤を備え、
前記作動位置は、前記吸盤を前記表面に固着する吸引力を作り出すことを特徴とする、請求項１に記載のドッキング・ステーション。
【請求項５】
前記滑り防止機構が、
カップ部分とスタブ部分とを有する少なくとも１つの吸盤と、
前記吸盤のスタブ部分に接続され、前記スタブ部分を解除位置と作動位置の間で動かす偏心カムと、
を備えて成り、
前記カムが前記スタブ部分を前記解除位置に動かしたとき、前記カップ部分が平坦化され、前記表面に対して最小の吸引力が作り出され、
前記カムが前記スタブ部分を前記作動位置に動かしたとき、前記カップ部分がカップ状になって前記表面に対して吸引力が作り出される、ことを特徴とする、請求項１に記載のドッキング・ステーション。
【請求項６】
前記滑り防止機構が、前記偏心カムに接続された軸をさらに備えて成り、その結果、前記軸の回転により、前記カムが前記スタブ部分を前記解除位置と前記作動位置との間で動かすことを特徴とする、請求項5に記載のドッキング・ステーション。
【請求項７】
前記滑り防止機構が、前記軸に接続され前記エンクロージャの外部に露出されてユーザが回転させることにより前記軸を回転させることができるノブをさらに備えて成ることを特徴とする、請求項６に記載のドッキング・ステーション。
【請求項８】
計算装置と、
前記計算装置を表面に保持し、該計算装置が前記表面に対して移動するのを防止する滑り防止機構と、
を備えて成る計算機アセンブリ。
【請求項９】
前記滑り防止機構が、解除位置と作動位置との間で移動可能な少なくとも１つの機械的に作動される吸盤を有し、前記作動位置が、前記吸盤を前記表面に固着する吸引力を生成することを特徴とする、請求項８に記載の計算機アセンブリ。
【請求項１０】
少なくとも１つの吸盤と、前記吸盤を解除位置と作動位置との間で機械的に動かす機構と、を備えて成り、前記作動位置が、計算装置を表面に保持するための、前記表面に対する吸引力を作り出すことを特徴とする、計算装置用の滑り防止機構。
【手続補正２】
【補正対象書類名】明細書
【補正対象項目名】図面の簡単な説明
【補正方法】変更
【補正の内容】
【図面の簡単な説明】
【図１】ドッキング・ステーション内にドッキングされた携帯型コンピュータの斜視図である。
【図２】ドッキング・ステーション内にドッキングされた携帯型コンピュータの下面斜視図である。
【図３】ドッキング・ステーションに組み込まれた滑り防止機構の概略図である。
【図４】エンクロージャ内のロック解除位置にある吸盤の断面図である。
【図５】エンクロージャ内のロック位置にある吸盤の断面図である。
【手続補正書】
【提出日】平成18年1月26日(2006.1.26)
【手続補正１】
【補正対象書類名】明細書
【補正対象項目名】発明の名称
【補正方法】変更
【補正の内容】
【発明の名称】商品別感想等提供システム
【手続補正２】
【補正対象書類名】明細書
【補正対象項目名】特許請求の範囲
【補正方法】変更
【補正の内容】
【特許請求の範囲】
【請求項１】
ユーザーから送信された「或る商品、又は、或る種類の商品」についての感想、又は「質問、問合せ、要望、注文、又は購入予約などのメッセージ」を、前記「或る商品、又は、或る種類の商品」と対応するものとして受信するための感想等受信手段と、
前記感想等受信手段により受信された前記ユーザーからの感想等を前記「或る商品、又は、或る種類の商品」と関連付けて記録するための感想等記録手段と、
店舗において陳列されている「或る商品、又は、或る種類の商品」別に、その表面又は近傍の位置にそれぞれ配置されている感想等表示手段であって、前記感想等記録手段に記録されている対応する「或る商品、又は、或る種類の商品」についての前記ユーザーからの感想等を表示するための感想等表示手段と、
を備えたことを特徴とする商品別感想等提供システム。
【請求項２】
ユーザーから送信された「或る商品、又は、或る種類の商品」についての感想、又は「質問、問合せ、要望、注文、又は購入予約などのメッセージ」を、前記「或る商品、又は、或る種類の商品」と対応するものとして受信するための感想等受信手段と、
前記感想等受信手段により受信された前記ユーザーからの感想等を前記「或る商品、又は、或る種類の商品」と関連付けて記録するための感想等記録手段と、
店舗において陳列されている「或る商品、又は、或る種類の商品」別に、その表面又は近傍の位置にそれぞれ配置されており、前記「或る商品、又は、或る種類の商品」の各識別情報を記録することができると共に、それを外部に無線で送信することができる商品識別情報記録手段と、
店舗において陳列されている「或る商品、又は、或る種類の商品」の表面又は近傍に配置された前記商品識別情報記録手段から、その「或る商品、又は、或る種類の商品」の商品識別情報を無線により受信するための商品識別情報受信手段と、
前記商品識別情報受信手段により受信された商品識別情報に基づいて、前記感想等記録手段から、前記受信された商品識別情報により特定される「或る商品、又は、或る種類の商品」についての前記ユーザーからの感想等を取り出して表示するための感想等表示手段と、
を備えたことを特徴とする商品別感想等提供システム。
【請求項３】
ユーザーから送信された「或る商品、又は、或る種類の商品」についての感想、又は「質問、問合せ、要望、注文、又は購入予約などのメッセージ」を、前記「或る商品、又は、或る種類の商品」と対応するものとして受信するための感想等受信手段と、
前記感想等受信手段により受信された前記ユーザーからのの感想等を前記「或る商品、又は、或る種類の商品」と関連付けて記録するための感想等記録手段と、
店舗において陳列されている「或る商品、又は、或る種類の商品」別に、その表面又は近傍の位置にそれぞれ配置されており、前記「或る商品、又は、或る種類の商品」の各識別情報を記録することができると共に、それを外部に無線で送信することができる商品識別情報記録手段と、
店舗において陳列されている「或る商品、又は、或る種類の商品」の表面又は近傍に配置された前記商品識別情報記録手段から、その「或る商品、又は、或る種類の商品」の商品識別情報を無線により受信するための商品識別情報受信手段と、
店舗において陳列されている「或る商品、又は、或る種類の商品」別に、その表面又は近傍に配置されている感想等無線提供手段であって、前記商品識別情報受信手段が受信した商品識別情報に基づいて、その商品識別情報により特定される「或る商品、又は、或る種類の商品」についての前記ユーザーからの感想等を、「店舗内に存在する機器」に向けて無線で提供するための感想等無線提供手段と、
を備えたことを特徴とする商品別感想等提供システム。
【請求項４】
ユーザーから送信された「或る商品、又は、或る種類の商品」についての感想、又は「質問、問合せ、要望、注文、又は購入予約などのメッセージ」を、前記「或る商品、又は、或る種類の商品」と対応するものとして受信するための感想等受信手段と、
前記感想等受信手段により受信された前記ユーザーからの感想等を前記「或る商品、又は、或る種類の商品」と関連付けて記録するための感想等記録手段であって、店舗内の前記「或る商品、又は、或る種類の商品」別に、その表面又は近傍の位置にそれぞれ配置されている感想等記録手段と、
前記感想等受信手段が前記ユーザーからの感想等を受信したとき、前記受信した感想等を前記感想等記録手段に送信するための感想等送信手段と、
前記感想等記録手段に記録された感想等を「店舗内に存在する機器」に向けて無線で提供するための感想等無線提供手段と、
を備えたことを特徴とする商品別感想等提供システム。
【請求項５】
ユーザーから送信された「或る商品、又は、或る種類の商品」についての感想、又は「質問、問合せ、要望、注文、又は購入予約などのメッセージ」を、感想等受信手段により、前記「或る商品、又は、或る種類の商品」に対応するものとして受信し、この受信された前記ユーザーからの感想等を、前記「或る商品、又は、或る種類の商品」と関連付けて感想等記録手段により記録しておくようにしている商品別感想等提供システムであって、
店舗において陳列されている「或る商品、又は、或る種類の商品」別に、その表面又は近傍の位置にそれぞれ配置されている商品別感想等提供装置であって、自らがその表面又は近傍に配置されている前記「或る商品、又は、或る種類の商品」をそれぞれ識別するための商品識別情報を有しており、この自らが有している商品識別情報により特定される「或る商品、又は、或る種類の商品」に関する前記ユーザーからの感想等を、自らに記録するか又は自ら表示する商品別感想等提供装置、を含むことを特徴とする商品別感想等提供システム。
【請求項６】
ユーザーから送信された「或る商品、又は、或る種類の商品」についての感想、又は「質問、問合せ、要望、注文、又は購入予約などのメッセージ」を、感想等受信手段により、前記「或る商品、又は、或る種類の商品」に対応するものとして受信し、この受信された前記ユーザーからの感想等を、前記「或る商品、又は、或る種類の商品」と関連付けて感想等記録手段により記録しておくようにしている商品別感想等提供システムであって、
店舗において陳列されている「或る商品、又は、或る種類の商品」別に、その表面又は近傍の位置にそれぞれ配置されている商品識別情報記録手段から、前記「或る商品、又は、或る種類の商品」の商品識別情報を無線により受信したとき、その受信した商品識別情報により特定される「或る商品、又は、或る種類の商品」に関する前記ユーザーからの感想等を、店舗内のユーザーのために、前記感想等記録手段から取り出して提供する商品別感想等提供装置、を含むことを特徴とする商品別感想等提供システム。
【請求項７】
請求項１から６までのいずれかにおいて、
前記感想等受信手段は、前記「或る商品、又は、或る種類の商品」についてのユーザーからの感想、又は「質問、問合せ、要望、注文、又は購入予約などのメッセージ」を、ネットワーク経由で受信するものである、ことを特徴とする商品別感想等提供システム。
【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】
低基準電圧に切り替え可能に結合し得る仮想接地線と、
ビット線と、
高基準電圧端子と、
複数の記憶セルであって、各々が、
単一の入力／出力（Ｉ／Ｏ）ポートと、
前記ビット線、及び前記Ｉ／Ｏポートに結合され、前記入力／出力ポートを前記ビット線に結合するために選択信号に呼応する切り替え手段と、
前記高基準電圧端子と前記仮想接地線との間に結合され、第１のインバータ入力と第１のインバータ出力とを有し、前記第１のインバータ出力が前記Ｉ／Ｏポートに結合されている第１のＣＭＯＳインバータと、
前記第１のインバータ出力に結合された第２のインバータ入力と、前記第１のインバータ入力に結合された第２のインバータ出力とを有する第２のＣＭＯＳインバータとから成る、前記複数の記憶セルと、
前記仮想接地線と前記低基準電圧との間に接続され、低基準電圧の書き込み中、及び前記複数の記憶セルのいずれかの読み取り中に、前記仮想接地線を前記低基準電圧に結合し、前記複数の記憶セルのいずれかへの高基準電圧の書き込み中に、前記仮想接地線を前記低基準電圧から絶縁する絶縁機構と、及び
前記仮想接地線と前記低基準電圧との間に接続され、前記仮想接地線が、前記複数の記憶セルのいずれかへの前記高基準電圧の前記書き込み中に、前記絶縁機構のしきい電圧を越えないように動作するクランプ装置とから成る、記憶メモリ。
【請求項２】
前記クランプ装置がＮＦＥＴから成り、前記ＮＦＥＴが、前記仮想接地線に結合されたドレイン及びゲートと、前記低基準電圧に結合されたソースとを有する、請求項１に記載の記憶メモリ。
【請求項３】
各々の記憶セルが、同じカラムの要素を成し、且つ共通のビット線に切り替え可能に結合された入力／出力（Ｉ／Ｏ）ポートと、ドレイン−ドレインの関係で高基準電圧と低基準電圧に切り替え可能に結合された仮想接地線との間に結合された第１のＮＦＥＴ及び第１のＰＦＥＴから成る第１のインバータと、前記第１のインバータに結合されて双安定フリップフロップを形成する第２のインバータとから成る、複数の記憶セルを含むスタティックランダムアクセスメモリ（ＳＲＡＭ）アレイにおいて、前記記憶セルに前記高基準電圧の書き込み中に、前記第１のインバータの前記第１のＮＦＥＴを弱める為の方法であって、
前記仮想接地線が、前記複数の記憶セルのいずれかへの前記高基準電圧の書き込み中に、前記絶縁機構のしきい電圧を越えないように、前記仮想接地線をクランプするステップと、
前記複数の記憶セルのいずれかに低基準電圧の書き込み、もしくは読み取りの間に、前記仮想接地線を前記低基準電圧に結合するステップと、
前記複数の記憶セルのいずれかへの前記高基準電圧の書き込み中に、前記仮想接地線を前記低基準電圧から絶縁するステップとから成る、方法。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】  近視野光を利用して記録媒体の情報の再生を行う近視野光メモリヘッドであって、
少なくとも１つの光源と、
前記光源からの光束を前記記録媒体に照射するためのレンズと、
少なくとも１つの逆錐状の穴がその頂部を微小開口とするように貫通して形成された微小開口を有する平面基板と、前記逆錐状の穴の上部に形成された受光素子と、前記光源からの光束を遮光する為に前記逆錐状の穴の表面と前記受光素子に形成された遮光膜とからなる近視野光ヘッド部を備え、
前記少なくとも１つの光源は、前記平面基板を透過する波長成分をもち、前記近視野光ヘッド部は、前記光源の光束が前記平面基板を透過して前記記録媒体に照射されることにより前記記録媒体の表面に生じた前記近視野光と前記微小開口との相互作用によって前記微小開口を介して取り出した伝搬光を前記受光素子で受光して電気信号に変換することを特徴とする近視野光メモリヘッド。
【請求項２】  前記光源は少なくとも赤外光成分を含み、前記微小開口を有する前記平面基板は半導体基板であることを特徴とする請求項１に記載の近視野光メモリヘッド。
【請求項３】  前記平面基板は、前記受光素子が形成された第１の基板と、前記逆錐状の穴がその頂部を前記微小開口とするように貫通して形成された前記微小開口を有し、且つ前記第１の基板と重ね合わせた第２の基板とからなることを特徴とする請求項１または２に記載の近視野光メモリヘッド。
【請求項４】  近視野光を利用して記録媒体の情報の再生を行う近視野光メモリヘッドであって、
少なくとも１つの光源と、
前記光源からの光束を前記記録媒体に照射するためのレンズと、
平面基板上に形成された少なくとも１つの受光素子と、前記受光素子上部に形成された錐状の突起部と、前記受光素子と前記錐状の突起部を包み込むように形成され、且つ前記錐状の突起部頂部の上部に設けられた微小開口が前記記録媒体側になるように設けられた遮光膜とからなる近視野光ヘッド部を備え、
前記少なくとも１つの光源は、前記平面基板および前記錐状突起部を透過する波長成分をもち、前記近視野光ヘッド部は、前記光源の光束が前記平面基板を透過して前記記録媒体に照射されることにより前記記録媒体の表面に生じた前記近視野光と前記微小開口との相互作用によって前記微小開口を介して取り出した伝搬光を前記受光素子で受光して電気信号に変換することを特徴とする近視野光メモリヘッド。
【請求項５】  前記光源は少なくとも赤外光成分を含み、前記微小開口を有する前記平面基板は半導体基板であることを特徴とする請求項４に記載の近視野光メモリヘッド。
【請求項６】  前記レンズが平面基板に形成され、前記近視野光ヘッド部の前記平面基板に重ね合わせて一体化されていることを特徴とする請求項１〜５のいずれかに記載の近視野光メモリヘッド。
【請求項７】  前記レンズが平面基板に形成された屈折率分布レンズであることを特徴とする請求項１〜６のいずれかに記載の近視野光メモリヘッド。
【請求項８】  前記レンズが平面基板に形成されたレンズ効果を有する回折格子であることを特徴とする請求項１〜６のいずれかに記載の近視野光メモリヘッド。
【請求項９】  前記レンズが、前記受光素子の近傍に形成されたレンズ効果を有する回折格子であることを特徴とする請求項１〜６のいずれかに記載の近視野光メモリヘッド。
【請求項１０】  前記近視野光ヘッド部が同一平面基板上に複数個配列されたアレイ状のヘッドであることを特徴とする請求項１〜９のいずれかに記載の近視野光メモリヘッド。
【手続補正２】
【補正対象書類名】明細書
【補正対象項目名】００１９
【補正方法】変更
【補正の内容】
【００１９】
【発明の実施の形態】
以下に、本発明に係る近視野光メモリヘッドの実施の形態を図面に基づいて詳細に説明する。
［実施の形態１］
図１は、実施の形態１に係る近視野光メモリヘッドの断面図を示している。また、図２は図１中の近視野光ヘッド部４のみの断面図である。
【手続補正３】
【補正対象書類名】明細書
【補正対象項目名】００２１
【補正方法】変更
【補正の内容】
【００２１】
図２に示した近視野光ヘッド部４において、シリコン基板９にはこれを貫通するテーパ開口部１３が微小開口１２を有して形成されている。微小開口１２は、微小開口１２の近傍に生じている近視野光と相互作用を起こし、その結果得られる伝搬光８を取り出せるように、例えば数十ナノメートルの径を有している。さらに、テーパ開口部１３の上部には、受光素子１０が取り付けられている。そして、テーパ開口部１３の表面と受光素子１０には、光源１からの照射光６を受光素子１０から光学的に閉塞するために遮光膜１１が形成されている。
【手続補正４】
【補正対象書類名】明細書
【補正対象項目名】００３９
【補正方法】変更
【補正の内容】
【００３９】
以上に説明した近視野光メモリヘッドを記録媒体５上に配置し、微小開口１２において情報再生を行う方法は、実施の形態１と同じであるので、説明を一部省略あるいは簡単にする。
記録媒体に記録された情報の再生は、先ず、微小開口１２を記録媒体５上の所望の情報再生位置に移動させる。ガラス基板とシリコン基板Ａ１４およびシリコン基板Ｂ１６は赤外光成分を透過するので、光源１から出射された赤外光成分は、ガラス基板２７に形成された屈折率分布レンズ２８により、再生位置となる微小開口１２に近接した記録媒体５の情報記録部を照射する。そして、その情報記録部において近視野光が生成される。この近視野光と遮光膜１５が付けられたテーパ開口部１３の先端である微小開口１２との相互作用によって、その情報記録部の記録状態に依存した強度や位相等の特性を伴った伝搬光８が、微小開口１２を介してテーパ開口部１３上方へと取り出される。取り出された伝搬光８は、受光素子１７へと導かれて電気信号に変換され、図示しない信号処理部によって情報記録部の記録状態が判断される。その際、遮光膜１８により受光素子１７に微小開口１２からの伝搬光８以外の光が受光されないよう構成されている。
【手続補正５】
【補正対象書類名】明細書
【補正対象項目名】００４３
【補正方法】変更
【補正の内容】
【００４３】
記録媒体に記録された情報の再生は、先ず、微小開口１２を記録媒体５上の所望の情報再生位置に移動させる。シリコン基板は赤外光成分を透過するので、光源１から出射された赤外光成分は、遮光膜１１がほどこされた受光素子１０近傍に形成された回折格子２９により、再生位置となる微小開口に近接した記録媒体５の情報記録部を照射する。そして、その情報記録部において近視野光が生成される。この近視野光と遮光膜１１が付けられたテーパ開口部１３の先端である微小開口１２との相互作用によって、その情報記録部の記録状態に依存した強度や位相等の特性を伴った伝搬光８が、微小開口を介して受光素子１０へと導かれて電気信号に変換され、図示しない信号処理部によって情報記録部の記録状態が判断される。その際、遮光膜１１により受光素子１０に微小開口からの伝搬光８以外の光が受光されないよう構成されている。
【手続補正書】
【提出日】平成18年2月24日(2006.2.24)
【手続補正１】
【補正対象書類名】明細書
【補正対象項目名】００１７
【補正方法】変更
【補正の内容】
【００１７】
次に、治療法を検討する患者の属性情報（性別、年齢、体重、既往症、検査結果など）がホストコンピュータ６等より本システムに入力される（ステッブ１２０）。するとシステムは、判断樹の各枝の生起確率をその患者の属性情報に合わせるように演算部１で最適化を行って、それを表示部３に表示する（ステップ１３０）。その患者の属性情報に合わせる最適化はデータベースのデータ数が多い場合はその患者の属性情報のデータだけ（例えばその患者の属する年齢層、性別、検査結果等）を抽出してゆけば、その患者に最適化される。しかし、それだけではデータ数を減らしてゆくことにもなるし、その属性情報が入力されていないデータは用いられないので、データ数が多くない場合は、逆に信頼性が低下することもある。そこで属性情報と生起確率との相関関係を演算する機能を設けることによってデータの最適化をより効果的に行うようにされる。各属性情報と生起確率との相関が例えば図５のように演算して表示される。図５は年齢と生起確率との相関の表示で、その患者が属している年齢層のグラフ（７０代）が反転しており、全年齢（年齢情報が入力されていないデータも含む）の生起確率が点線で表示される。この患者の年齢層の生起確率は０．５５で、全年齢の生起確率０．７９よりも３割ほど低くなっている。もしこの患者の年齢が１０代から５０代であれば、特に補正する必要はないが、この年齢層ではかなり生起確率が低くなるため治療決定の判断も異なってくる。このようにして各属性情報と生起確率との補正が自動的に行われてゆく。この補正は各情報ごとに相関を表示できるようにすれば、相関を確認しながら補正の適否を決定することができ、患者とのインフォームドコンセントとしても用いることができる。
又、同じ施設では治療条件が近いので、データベースのデータのうちその施設でのデータに重みをつけて生起確率を算出することも患者の属性情報に対する最適化となる。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】
データ記憶テープ及びメモリを収容するケーシング内の前記テープに一連のデータセットを書き込む方法であって、
書き込みヘッドを用いて、前記書き込みヘッドを通過する前記テープの書き込み経路の間に前記テープに沿って前記データセットを書き込むことと、
前記一連のデータセットの終端のテープ位置をメモリに記憶することと、
書き込み要素を含む書き込みヘッドを用いて前記データセットを書き込むことであって、前記書き込み要素は前記書き込みヘッドを通過する前記テープの書き込み経路の間に前記テープに沿って平行なトラックに前記データセットを書き込むことと、
前記テープ上に曲がりくねった経路をトレースするように前記テープのそれぞれのラップに追従して前記テープの前記書き込みヘッドを横方向に移動させることと、
前記一連のデータセットの最後のデータセットを含む前記トラックと、前記一連のデータセットの最後のデータセットの前記テープの始めからの論理位置と、の両方を特定する情報を前記メモリに記憶することと、
を含むことを特徴とする方法。
【請求項２】
前記一連のデータセットの最後のデータセットとしてデータの終端（ＥＯＤ）データセットを書き込むことをさらに含むことを特徴とする請求項１に記載の方法。
【請求項３】
ホストから一連のデータセットを受け取ることと、
前記一連のデータセットの前記ホストからの受け取りが中止されるとき、前記メモリに前記ＥＯＤデータセットの位置を示す情報を記憶することと、
前記一連の書き込みの中止に続く遅れ後にのみ、前記データ記憶テープに前記データの終端（ＥＯＤ）データセットを記録することと、
を含むことを特徴とする請求項２に記載の方法。
【請求項４】
ホストから前記一連のデータセットを受け取ることと、
前記一連のデータセットの前記ホストからの受け取りが中止されるとき、前記メモリに前記ＥＯＤデータセットの位置を示す情報を記憶することと、
前記データ記憶テープを前記書き込みヘッドに対して移動させる指令が前記ホストから受領されるとき、前記データ記憶テープに前記データの終端（ＥＯＤ）データセットを記録することと、
を含むことを特徴とする請求項２に記載の方法。
【請求項５】
前記データセットは、前記データセットが正常に書き込まれ、正常に書き込まれたデータセットの前記物理的位置情報は、前記データ記憶テープのラップであるそれぞれの書き込み経路にリフレッシュされることを検証する書き込み後読み込み（ＲＡＷ）動作に支配されることを特徴とする請求項１に記載の方法。
【請求項６】
前記ＥＯＤデータセットの位置を示す情報はテープ書き込み経路値及びラップセクション番号を含むことを特徴とする請求項２から４までのいずれか１項に記載の方法。
【請求項７】
前記メモリは、
最後に書き込まれたＥＯＤのテープ書き込み経路と、
ロード回数と、
ＥＯＤの記録数と、
ＥＯＤにおけるファイルマーク数と、
ＥＯＤのデータセット番号と、
ＥＯＤのラップセクション番号と、
ＥＯＤの有効性と、
第１のＣＱセット番号と、
ＥＯＤの正確な位置を確認する折り返し冗長コードと、
を記憶するデータフィールドを有することを特徴とする請求項２から４までのいずれか１項に記載の方法。
【請求項８】
前記メモリの平均アクセス時間は前記データ記憶テープの平均アクセス時間より短いことを特徴とする請求項１から７までのいずれか１項に記載の方法。
【請求項９】
データ記憶テープ及びメモリを収容するケーシング内の前記テープに一連のデータセットを書き込む装置であって、
通過するテープの書き込み経路にデータセットを書き込む書き込みヘッドと、
一連のデータセットの終端のテープ位置をメモリに記憶する手段と、
を備え、
前記書き込みヘッドは、前記テープに平行なトラックを書き込む書き込み要素を含み、前記テープ上に曲がりくねった経路をトレースするように前記テープのそれぞれのラップに追従して前記テープの横方向に移動可能であり、
前記手段は、前記一連のデータセットの終端を含む前記トラックと、前記一連のデータセットの終端の前記テープの始めからの論理位置と、の両方を特定する情報を前記メモリに記憶するように設けられることを特徴とする装置。
【請求項１０】
前記手段は、前記一連のデータセットの終端としてデータの終端（ＥＯＤ）データセットを書き込むように設けられることを特徴とする請求項９に記載の装置。
【請求項１１】
ホストから一連のデータセットを受け取る手段と、
前記一連のデータセットの前記ホストからの受け取りが中止されるとき、前記メモリに前記ＥＯＤデータセットの位置を示す情報を記憶する手段と、
前記一連の書き込みの中止に続く遅れ後にのみ、前記データ記憶テープに前記データの終端（ＥＯＤ）データセットを記録する手段と、
を含むことを特徴とする請求項１０に記載の装置。
【請求項１２】
ホストから一連のデータセットを受け取る手段と、
前記一連のデータセットの前記ホストからの受け取りが中止されるとき、前記メモリに前記ＥＯＤデータセットの位置を示す情報を記憶する手段と、
前記データ記憶テープを前記書き込みヘッドに対して移動させる指令が前記ホストから受領されるとき、前記データ記憶テープに前記データの終端（ＥＯＤ）データセットを記録する手段と、
を含むことを特徴とする請求項１０に記載の装置。
【請求項１３】
前記データセットは、前記データセットが正常に書き込まれ、正常に書き込まれたデータセットの前記物理的位置情報が前記データ記憶テープのラップであるそれぞれの書き込み経路にリフレッシュされることを検証する書き込み後読み込み（ＲＡＷ）動作に支配されることを特徴とする請求項９に記載の装置。
【請求項１４】
前記ＥＯＤデータセットの位置を示す情報はテープ書き込み経路値及びラップセクション番号を含むことを特徴とする請求項１０から１２までのいずれか１項に記載の装置。
【請求項１５】
前記メモリは、
最後に書き込まれたＥＯＤのテープ書き込み経路と、
ロード回数と、
ＥＯＤの記録数と、
ＥＯＤにおけるファイルマーク数と、
ＥＯＤのデータセット番号と、
ＥＯＤのラップセクション番号と、
ＥＯＤの有効性と、
第１のＣＱセット番号と、
ＥＯＤの正確な位置を確認する折り返し冗長コードと、
を記憶するデータフィールドを有することを特徴とする請求項１０から１２までのいずれか１項に記載の装置。
【請求項１６】
前記メモリの平均アクセス時間は前記データ記憶テープの平均アクセス時間より短いことを特徴とする請求項９から１５までのいずれか１項に記載の装置。
【手続補正書】
【提出日】平成18年10月31日(2006.10.31)
【手続補正１】
【補正対象書類名】明細書
【補正対象項目名】０００４
【補正方法】変更
【補正の内容】
【０００４】
更に生産速度を上げるために、各ワークステーション内で複数の電極を使用するＥＤＭ装置を使用する提案がなされている。そのようなＥＤＭ装置は、ワークに対して複数の加工作業を同時に行うことができる。しかしながら、各電極に対して、個別のサーボモータ、電源、及びコンピュータ数値制御装置（ＣＮＣ）が設けられる。多数のサーボモータ、電源、及びＣＮＣは、製造システムの複雑さとコストを増加させ、機械工場での大きな床面積を必要とする。電源及びＣＮＣの総数は、一度に１つのワークステーションに選択的に電力を供給する電力切換スイッチを使用することにより、減少させることができる。しかしながら電源及びＣＮＣの数を減少させたとしても、この構成は、依然として多数のサーボモータを利用している。このようなＥＤＭ装置は、製造中断を生じ易いおそれがある。
【特許文献１】米国特許 ４６７０６３５号明細書
【特許文献２】米国特許 ５０７５５３０号明細書
【特許文献３】米国特許 ５３３６０２５号明細書
【特許文献４】米国特許 ５９２０９７３号明細書
【特許文献５】米国特許 ６２３１２７９号明細書
【特許文献６】米国特許 ６３２６５７６号明細書
【特許文献７】米国特許 ６３６９３４３号明細書
【特許文献８】米国特許 ６５６３０７１号明細書
【手続補正書】
【提出日】平成18年5月22日(2006.5.22)
【手続補正１】
【補正対象書類名】明細書
【補正対象項目名】特許請求の範囲
【補正方法】変更
【補正の内容】
【特許請求の範囲】
【請求項１】
情報処理装置と、該情報処理装置からの印刷情報に基づいて印刷を実行する印刷装置とを有する印刷システムであって、
前記情報処理装置は、前記印刷装置の記録ヘッドを構成する複数の記録素子を任意分割数にて分割する手段と、
その分割された各々の記録素子群にて記録される画素数を累計するカウンタと、前記カウンタにて累計された記録画素数情報を前記印刷装置に転送する情報送信手段を有し、
前記印刷装置は、前記記録画素数情報を受信する受信手段と、
前記記録画素数情報に基づく値と所定値とを比較する比較手段と、前記記録ヘッドのクリーニングを行なう手段を有し、前記比較手段の結果に応じて、前記記録ヘッドのクリーニング動作を実行することを特徴とする印刷システム。
【請求項２】
前記記録画素数情報に基づく値は、前記記録画素数情報と印刷枚数を乗じた値であることを特徴とする請求項１に記載の印刷システム。
【請求項３】
前記印刷装置は複数の記録ヘッドを有し、前記記録画素数情報は、記録ヘッド毎かつ任意分割数毎の記録画素数情報であり、かつ記録媒体１頁分に該当する値であることを特徴とする請求項１、２に記載の印刷システム。
【請求項４】
複数の記録素子を有する記録ヘッドにて画像を記録する印刷装置において、
前記記録ヘッドはそれを構成する複数の記録素子が任意分割数にて分割され、
その分割された各々の記録素子群にて記録される画素数を累計した記録画素数情報を受信する受信手段と、前記受信手段で受信した前記記録画素数情報を記憶するメモリと、前記メモリに記憶された前記記録画素数情報に基づく値と所定値とを比較する比較手段と、前記記録ヘッドをクリーニングする手段とを有し、前記比較手段の結果に応じて前記記録ヘッドのクリーニング動作を実行することを特徴とする印刷装置。
【請求項５】
前記記録画素数情報に基づく値は、前記メモリに記憶された記録画素数情報と印刷枚数を乗じた値であることを特徴とする請求項４に記載の印刷装置。
【請求項６】
前記比較手段にて比較される前記記録画素数情報に基づく値は、受信した複数の記録画素数情報のうちの最大値であることを特徴とする請求項４、５に記載の印刷装置。
【請求項７】
前記記録ヘッドを複数備えたことを特徴とする請求項４、５及び６に記載の印刷装置。
【請求項８】
前記所定値を前記記録ヘッド毎に複数備えたことを特徴とする請求項７に記載の印刷装置。
【手続補正２】
【補正対象書類名】明細書
【補正対象項目名】０００９
【補正方法】変更
【補正の内容】
【０００９】
本発明はこのような背景においてなされたものであり、
記録ヘッドを構成する複数の記録素子を任意分割数にて分割し、分割された記録素子群の使用状況に応じて、適切にヘッドクリーニングを行なう印刷システムおよび印刷装置を提供することを目的とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
【課題を解決するための手段および作用】
本発明による印刷システムは、
情報処理装置と、該情報処理装置からの印刷情報に基づいて印刷を実行する印刷装置とを有する印刷システムであって、
前記情報処理装置は、前記印刷装置の記録ヘッドを構成する複数の記録素子を任意分割数にて分割する手段と、
その分割された各々の記録素子群にて記録される画素数を累計するカウンタと、前記カウンタにて累計された記録画素数情報を前記印刷装置に転送する情報送信手段を有し、
前記印刷装置は、前記記録画素数情報を受信する受信手段と、
前記記録画素数情報に基づく値と所定値とを比較する比較手段と、前記記録ヘッドのクリーニングを行なう手段を有し、前記比較手段の結果に応じて、前記記録ヘッドのクリーニング動作を実行することを特徴とする。
【手続補正５】
【補正対象書類名】明細書
【補正対象項目名】００１２
【補正方法】変更
【補正の内容】
【００１２】
本発明による印刷装置は、
複数の記録素子を有する記録ヘッドにて画像を記録する印刷装置において、
前記記録ヘッドはそれを構成する複数の記録素子が任意分割数にて分割され、
その分割された各々の記録素子群にて記録される画素数を累計した記録画素数情報を受信する受信手段と、前記受信手段で受信した前記記録画素数情報を記憶するメモリと、前記メモリに記憶された前記記録画素数情報に基づく値と所定値とを比較する比較手段と、前記記録ヘッドをクリーニングする手段とを有し、前記比較手段の結果に応じて前記記録ヘッドのクリーニング動作を実行することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正書】
【提出日】平成18年4月10日(2006.4.10)
【手続補正１】
【補正対象書類名】明細書
【補正対象項目名】００４６
【補正方法】変更
【補正の内容】
【００４６】
今、ファイル番号を手動で付与する場合にはステップ７６がNOになり、ステップ７７によりファイル番号を手動入力するための処理を実行した後に、ステップ７８により主導で入力されたファイル番号が登録済みのファイル番号と重複しているか否かを判定する。ファイル番号が重複している場合には、ステップ７８がYESになり、ファイル番号が重複していることを報知する警告メッセージを表示したりするアラーム処理を行う。尚、手動で設定されたファイル番号が既登録のファイル番号と重複していない場合には、上記したステップ７８がNOになり、後述するステップ８０に移る。
【手続補正書】
【提出日】平成18年5月15日(2006.5.15)
【手続補正１】
【補正対象書類名】明細書
【補正対象項目名】発明の名称
【補正方法】変更
【補正の内容】
【発明の名称】有機エレクトロルミネッセンス素子、露光装置および画像形成装置
【手続補正２】
【補正対象書類名】明細書
【補正対象項目名】特許請求の範囲
【補正方法】変更
【補正の内容】
【特許請求の範囲】
【請求項１】  基板上に、少なくとも正孔を注入する陽極、発光領域を有する複数の画素からなる発光層、および電子を注入する陰極を備えた有機エレクトロルミネッセンス素子からなる露光ヘッドを具備する露光装置であって、
前記画素は、同一平面上に形成された複数の単位画素の集合で構成されていることを特徴とする露光装置。
【請求項２】  前記単位画素の一辺の長さは、発光波長と同じであることを特徴とする請求項１記載の露光装置。
【請求項３】  前記単位画素の一辺の長さは、使用する光の波長以下であることを特徴とする請求項１記載の露光装置。
【請求項４】  隣接する前記単位画素の間には、露光した光を光取り出し方向に向ける照射角変換部が形成されていることを特徴とする請求項１〜３の何れか一項に記載の露光装置。
【請求項５】  請求項１〜４の何れか一項に記載の露光装置と、
前記露光装置の露光光により静電潜像が形成される感光体と、
前記静電潜像にトナーを供給して前記感光体上にトナー像を形成する現像手段とを有することを特徴とする画像形成装置。
【請求項６】  少なくとも正孔を注入する陽極、電子を注入する陰極、前記陽極と陰極の間に設けられた発光層から構成された画素を有する有機エレクトロルミネッセンス素子であって、
前記画素は、同一の発光色を有する複数の単位画素の集合で構成されていることを特徴とする有機エレクトロルミネッセンス素子。
【請求項７】  前記単位画素を前記発光色の波長と略同一あるいはそれ以下の大きさに構成したことを特徴とする請求項６記載の有機エレクトロルミネッセンス素子。
【手続補正３】
【補正対象書類名】明細書
【補正対象項目名】００２０
【補正方法】変更
【補正の内容】
【００２０】
本発明の請求項５に記載の発明は、請求項１〜４の何れか一項に記載の露光装置と、露光装置の露光光により静電潜像が形成される感光体と、静電潜像にトナーを供給して感光体上にトナー像を形成する現像手段とを有する画像形成装置であり、有機エレクトロルミネッセンス素子の発光層を形成する画素を複数の単位画素の集合で構成しているので、露光に必要な発光光量を得ることが可能になるという作用を有する。
本発明の請求項６に記載の発明は、少なくとも正孔を注入する陽極、電子を注入する陰極、陽極と陰極の間に設けられた発光層から構成された画素を有する有機エレクトロルミネッセンス素子であって、当該画素を同一の発光色を有する複数の単位画素の集合で構成するようにしたものである。これによって露光に必要な発光光量を得ることが可能になるという作用を有する。また、画素が汚染されても、汚染は付着した単位画素の範囲でとどまってそれ以上成長することはないので、汚染による画素の発光不良が未然に防止されるという作用を有する。
本発明の請求項７に記載の発明は、請求項６記載の発明において、単位画素を発光色の波長と略同一あるいはそれ以下の大きさに構成したものである。これによって露光に必要な発光光量を得ることが可能になる。
【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】  インク収容部とインク供給口との間のインク流路中にバルブを備え、前記バルブの変形によって前記インク流路を一時的に開放し前記インク収納部から前記インク供給口へインクを導入するインクタンクであって、
前記バルブは、弾性材料からなり開口部を有するバルブ部材と、前記バルブ部材を収容するバルブケースとからなり、
前記バルブ部材の開口端が前記バルブケースと当接することで前記インク流路を閉塞し、前記バルブ部材の開口端内面と前記バルブケースの前記バルブ部材との当接面とのなす角が鋭角であることを特徴とするインクタンク。
【請求項２】  インク収容部とインク供給口との間のインク流路中にバルブを備え、前記バルブの変形によって前記インク流路を一時的に開放し前記インク収納部から前記インク供給口へインクを導入するインクタンクであって、
前記バルブは、弾性材料からなるバルブ部材と、前記バルブ部材を収容するバルブケースとからなり、
前記バルブ部材の一部である環状のリップ部端部が周方向においてシールすることにより前記インク流路を閉塞し、
前記閉塞状態における前記リップ部端部の径は、前記インク流路が開放状態における径に比較して大きいことを特徴とするインクタンク。
【請求項３】  インク収容部とインク供給口との間のインク流路中にバルブを備え、前記バルブの変形によって前記インク流路を一時的に開放し前記インク収納部から前記インク供給口へインクを導入するインクタンクであって、
前記バルブは、弾性材料で構成され端部に開口部を有するバルブ部材からなり、
前記インク供給口からのインクの導出に伴い前記バルブ部材の開口径が減少することで前記インク流路が開放されることを特徴とするインクタンク。
【請求項４】  前記バルブ部材は、前記インク流路を開閉するためのバルブ領域と、弾性変形したときの弾性復元力によって前記供給口内のインクに負圧を付与するダンパー領域と、を一体的に有することを特徴とする請求項１乃至３のいずれかに記載のインクタンク。
【請求項５】  前記バルブ領域と前記ダンパー領域との間における前記バルブ部材の位置を規制するための規制手段を備えることを特徴とする請求項４に記載のインクタンク。
【手続補正２】
【補正対象書類名】明細書
【補正対象項目名】０００７
【補正方法】変更
【補正の内容】
【０００７】
【課題を解決するための手段】
本発明のインクタンクは、インク収容部とインク供給口との間のインク流路中にバルブを備え、前記バルブの変形によって前記インク流路を一時的に開放し前記インク収納部から前記インク供給口へインクを導入するインクタンクであって、前記バルブは、弾性材料からなり開口部を有するバルブ部材と、前記バルブ部材を収容するバルブケースとからなり、前記バルブ部材の開口端が前記バルブケースと当接することで前記インク流路を閉塞し、前記バルブ部材の開口端内面と前記バルブケースの前記バルブ部材との当接面とのなす角が鋭角であることを特徴とする。
【手続補正３】
【補正対象書類名】明細書
【補正対象項目名】０００８
【補正方法】変更
【補正の内容】
【０００８】
また、本発明のインクタンクは、インク収容部とインク供給口との間のインク流路中にバルブを備え、前記バルブの変形によって前記インク流路を一時的に開放し前記インク収納部から前記インク供給口へインクを導入するインクタンクであって、前記バルブは、弾性材料からなるバルブ部材と、前記バルブ部材を収容するバルブケースとからなり、前記バルブ部材の一部である環状のリップ部端部が周方向においてシールすることにより前記インク流路を閉塞し、前記閉塞状態における前記リップ部端部の径は、前記インク流路が開放状態における径に比較して大きいことを特徴とする。
また、本発明のインクタンクは、インク収容部とインク供給口との間のインク流路中にバルブを備え、前記バルブの変形によって前記インク流路を一時的に開放し前記インク収納部から前記インク供給口へインクを導入するインクタンクであって、前記バルブは、弾性材料で構成され端部に開口部を有するバルブ部材からなり、前記インク供給口からのインクの導出に伴い前記バルブ部材の開口径が減少することで前記インク流路が開放されることを特徴とする。
【手続補正書】
【提出日】平成18年4月14日(2006.4.14)
【手続補正１】
【補正対象書類名】明細書
【補正対象項目名】請求項４
【補正方法】変更
【補正の内容】
【請求項４】  イミノオキシメチルピリジン化合物として、一般式（Ｉ）中のＸがハロゲン原子、ｎが１、Ｙがハロゲン原子、Ｃ１〜Ｃ６アルキル基又はＣ１〜Ｃ６アルコキシ基、ｍが０又は１、Ｒ１がＣ１〜Ｃ６アルキル基、Ｒ２が水素原子又はＣ１〜Ｃ６アルキル基である化合物を用いる請求項３記載の農園芸用殺菌剤組成物。
【手続補正２】
【補正対象書類名】明細書
【補正対象項目名】００３８
【補正方法】変更
【補正の内容】
【００３８】
【発明の効果】
本発明組成物は非常に優れた殺菌活性を有し、例えば卵菌類（Ｏｏｍｙｃｅｔｅｓ）に属する菌、子のう菌類（Ａｓｃｏｍｙｃｅｔｅｓ）に属する菌、担子菌類（Ｂａｓｉｄｉｏｍｙｃｅｔｅｓ）に属する菌、不完全菌類（Ｄｅｕｔｅｒｏｍｙｃｅｔｅｓ）に属する菌等に起因する各種植物病害を防除することができ、また殺虫又は殺ダニ効果も向上させることができる。